(57)【要約】【課題】特殊な工具なしにアンテナを容易に交換することができ、しかも筐体２０の外表面に取り外しのための小さな孔を穿設することのないアンテナ取付構造を提供する。【解決手段】ホルダー部材２６にアンテナエレメント３２を軸方向に貫通させて所定範囲で移動自在に配設する。筐体２０側に外表面に一端を開口２８ａする収容部２８を設ける。ホルダー部材２６を筐体２０側の収容部２８に挿入させる際に、弾性変形して挿入を許容するとともにホルダー部材２６が収容部２８内で所定位置まで挿入されると弾性復帰してホルダー部材２６に係合して抜け方向への移動を規制する弾性係合片３０を筐体２０側に設ける。アンテナエレメント３２の引き出し状態で、開口２８ａより棒状部材３６を収容部２８内に挿入して弾性係合片３０を弾性変形させ、弾性係合片３０とホルダー部材２６との係合を解除し、ホルダー部材２６を収容部２８から引き抜く。【選択図】  図５
2006140628.tif 000002
【特許請求の範囲】
【請求項１】
ホルダー部材に棒状のアンテナエレメントを軸方向に貫通させて所定範囲で移動自在に配設し、筐体側に外表面に一端を開口させて前記ホルダー部材が挿入し得る収容部を設け、前記ホルダー部材を前記収容部に挿入固定して、前記アンテナエレメントを前記筐体から引き出しまたは収納できるようにしたアンテナ取付構造であって、前記ホルダー部材を前記開口より前記収容部に挿入させる際に弾性変形して挿入を許容するとともに前記ホルダー部材が前記収容部内で所定位置まで挿入されると弾性復帰して前記ホルダー部材に係合して抜け方向への移動を規制する弾性係合片を前記筐体側に設け、しかも前記アンテナエレメントの引き出し状態で前記開口より棒状部材を挿入して前記弾性係合片を弾性変形させて前記ホルダー部材との係合を解除し得るように構成したことを特徴とするアンテナ取付構造。
【請求項２】
ホルダー部材に棒状のアンテナエレメントを軸方向に貫通させて所定範囲で移動自在に配設し、筐体側に外表面に一端を開口させて前記ホルダー部材が挿入し得る収容部を設け、前記ホルダー部材を前記収容部に挿入固定して、前記アンテナエレメントを前記筐体から引き出しまたは収納できるようにしたアンテナ取付構造であって、前記ホルダー部材に外周面より外方に突出していて弾性変形によりその突出量を変化させ得る弾性係合突片を設け、この弾性係合突片を挿入方向の先端側は前記ホルダー部材の外周面の位置から斜面により最高突部に連なるとともに前記最高突部の挿入方向と反対側に段差部を有する形状とし、前記ホルダー部材を前記開口より前記収容部に挿入させる際に前記弾性係合突片を弾性変形させて挿入を許容するとともに前記ホルダー部材が前記収容部内で所定位置まで挿入されると前記弾性係合突片の弾性復帰により前記段差部が係合して抜け方向への移動を規制する係止用部材を前記筐体側に設け、しかも前記アンテナエレメントの引き出し状態で前記開口より棒状部材を挿入して前記弾性係合突片を弾性変形させて前記係止用部材との係合を解除し得るように構成したことを特徴とするアンテナ取付構造。
【請求項３】
請求項１または２記載のアンテナ取付構造において、前記アンテナエレメントの引き出し側の先端部に膨大部を設け、前記アンテナエレメントが収納された状態で前記膨大部が前記開口を塞ぐように構成したことを特徴とするアンテナ取付構造。
【発明の詳細な説明】
【技術分野】
【０００１】
本発明は、棒状のアンテナエレメントが引き出し収納自在に組み付けられるホルダー部材を、携帯電話機などの筐体側の収容部へ挿入固定するアンテナ取付構造に関するものである。
【背景技術】
【０００２】
従来の携帯電話機などの筐体側に対して、棒状のアンテナエレメントを引き出し収納自在に取り付けるアンテナ取付構造の一例を、図１３および図１４に示す。図１３は、従来のアンテナ取付構造でホルダー部材を開かれた筐体側の収容部に挿入した状態の斜視図である。図１４は、ホルダー部材が挿入された状態でキャリアを配設してホルダー部材の抜けを規制した状態の斜視図である。
【０００３】
図１３において、筐体１０側には、外表面に一端を開口させた収容部１２が設けられる。また、棒状のアンテナエレメント１４が軸方向に貫通されて所定範囲で移動自在にホルダー部材１６に配設される。そして、このホルダー部材１６が、収容部１２へ開口より挿入され、所定位置で挿入が規制される。なお、ホルダー部材１６には、外周面に抜け防止用の切り欠き１６ａが設けられている。そして、図１３の状態で、キャリア１８が筐体１０側に配設固定されて、図１４の状態とされる。このキャリア１８にはホルダー部材１６の切り欠き１６ａに挿入係合する係合凸部１８ａが設けられており、キャリア１８の配設によりホルダー部材１６は抜け方向への移動が規制される。なお、キャリア１８自体は、内蔵アンテナなどを配設するための部材である。
【０００４】
かかる構成の従来のアンテナ取付構造にあっては、アンテナエレメント１４が破損した場合に、筐体１０側からホルダー部材１６を取り外して新しい部品に交換するためには、筐体１０を開いて図１３および図１４の状態としなければならない。そこで、かかるアンテナ取付構造では、アンテナの交換作業が繁雑なものであった。特に、携帯電話機などにあっては、アンテナエレメント１４が細くて破損され易く、その交換がより容易であることが望まれていた。
【０００５】
かかる事情から、本出願人は、先に、筐体を開くことなしにアンテナの交換ができる技術を特願２００３−４０４０１３号で提案した。この提案技術を簡単に以下説明する。まず、ホルダー部材に外周面より外方に突出し、弾性変形によりその突出量を変化させ得る弾性係合突片を設ける。この弾性係合突片は、挿入方向の先端側はホルダー部材の外表面の位置から斜面により最高突部に連なるとともに最高突部の挿入方向と反対側に段差部が設けられ、挿入方向の先端側でホルダー部材に連結され段差部側が遊端とされる。しかも、弾性係合突片の周方向片側には斜面による面取りがなされる。また、筐体側に設けられる収容部の内周面に弾性係合突片が弾性復帰して挿入されて段差部が係合して抜け方向への移動を規制する係合凹部が設けられ、この係合凹部の周方向片側に斜面による面取りがなされる。係合凹部に設けた面取りは、弾性係合突片に設けた面取りに対応させて設けられる。なお、ホルダー部材の収容部への挿入は、所定位置で規制されることは勿論である。
【０００６】
かかる構成からなる先に提案した技術にあっては、収容部の係合凹部にホルダー部材の弾性係合突片を対応させて、収容部にホルダー部材を挿入する。すると、弾性係合突片が斜面による楔効果で弾性変形してその最高突部の突出量が少なくなり、挿入が許容される。そして、弾性係合突片が係合凹部に対応する位置まで挿入されると、弾性係合突片が弾性復帰して係合凹部に挿入され、段差部が係合凹部に係合して抜け方向の移動が規制される。もって、筐体側にホルダー部材が固定される。また、ホルダー部材を筐体側から取り外す際には、ホルダー部材を軸回りに回転させて、係合凹部と弾性係合突片のそれぞれの面取りの斜面による楔効果で弾性係合突片が弾性変形してその最高突部の突出量が少なくなり、段差部と係合凹部の係合が解除され、抜け方向への移動が可能となる。
【特許文献１】特願２００３−４０４０１３号
【発明の開示】
【発明が解決しようとする課題】
【０００７】
上述した本出願人が先に提案した技術は、筐体を開くことなくアンテナを交換することが可能である。しかるに、アンテナを取り外すためには、収容部に挿入固定されているホルダー部材を軸回りに回転させなければならない。ここで、ホルダー部材があまりに簡単に軸回りに回転操作され得る構造とするならば、誤ってまたはいたずらなどによりホルダー部材が回転操作される虞がある。これを防ぐために、特殊な工具によってのみホルダー部材を回転させる得ような構造が採用される。すると、当該工具を有する販売店などでしかアンテナの交換をすることができず、これも不都合である。
【０００８】
なお、上述した本出願人が先に提案した技術において、特殊な工具を必要とせずにアンテナの交換を可能とする構造として、収容部の係合凹部に挿入係合している弾性係合突片を押圧して弾性変形させて係合を解除できるように、筐体側に外表面から係合状態の弾性係合突片に臨むように小さな孔を穿設することが考えられる。この小さな孔に棒状部材を挿入し、外部から弾性係合突片を押圧して弾性変形させて係合を解除させ、ホルダー部材を収容部から引き抜くことができる。しかし、この技術では、筐体の外表面に孔が開口された状態となり、外観上優れたものとは言いがたい。
【０００９】
本発明は、かかる技術の事情に鑑みてなされたもので、筐体側に設けられた収容部の開口から棒状部材を挿入して係合を解除することができるようにしたアンテナ取付構造を提供することを目的とする。
【課題を解決するための手段】
【００１０】
上記目的を達成するために、本発明のアンテナ取付構造は、ホルダー部材に棒状のアンテナエレメントを軸方向に貫通させて所定範囲で移動自在に配設し、筐体側に外表面に一端を開口させて前記ホルダー部材が挿入し得る収容部を設け、前記ホルダー部材を前記収容部に挿入固定して、前記アンテナエレメントを前記筐体から引き出しまたは収納できるようにしたアンテナ取付構造であって、前記ホルダー部材を前記開口より前記収容部に挿入させる際に弾性変形して挿入を許容するとともに前記ホルダー部材が前記収容部内で所定位置まで挿入されると弾性復帰して前記ホルダー部材に係合して抜け方向への移動を規制する弾性係合片を前記筐体側に設け、しかも前記アンテナエレメントの引き出し状態で前記開口より棒状部材を挿入して前記弾性係合片を弾性変形させて前記ホルダー部材との係合を解除し得るように構成されている。
【００１１】
また、ホルダー部材に棒状のアンテナエレメントを軸方向に貫通させて所定範囲で移動自在に配設し、筐体側に外表面に一端を開口させて前記ホルダー部材が挿入し得る収容部を設け、前記ホルダー部材を前記収容部に挿入固定して、前記アンテナエレメントを前記筐体から引き出しまたは収納できるようにしたアンテナ取付構造であって、前記ホルダー部材に外周面より外方に突出していて弾性変形によりその突出量を変化させ得る弾性係合突片を設け、この弾性係合突片を挿入方向の先端側は前記ホルダー部材の外周面の位置から斜面により最高突部に連なるとともに前記最高突部の挿入方向と反対側に段差部を有する形状とし、前記ホルダー部材を前記開口より前記収容部に挿入させる際に前記弾性係合突片を弾性変形させて挿入を許容するとともに前記ホルダー部材が前記収容部内で所定位置まで挿入されると前記弾性係合突片の弾性復帰により前記段差部が係合して抜け方向への移動を規制する係止用部材を前記筐体側に設け、しかも前記アンテナエレメントの引き出し状態で前記開口より棒状部材を挿入して前記弾性係合突片を弾性変形させて前記係止用部材との係合を解除し得るように構成しても良い。
【００１２】
そして、前記アンテナエレメントの引き出し側の先端部に膨大部を設け、前記アンテナエレメントが収納された状態で前記膨大部が前記開口を塞ぐように構成することもできる。
【発明の効果】
【００１３】
請求項１記載のアンテナ取付構造にあっては、アンテナエレメントを引き出した状態で、開口より収容部に棒状部材を挿入して筐体側に設けた弾性係合片を弾性変形させて係合を解除するので、アンテナの交換に特殊な工具を必要とせず、しかも筐体の外表面に取り外しのための孔を開口させる必要がなく、外観に優れている。
【００１４】
また、請求項２記載のアンテナ取付構造にあっては、請求項１と同様に、アンテナエレメントを引き出した状態で、開口より収容部に棒状部材を挿入してホルダー部材に設けた弾性係合突片を弾性変形させて係止用部材との係合を解除するので、アンテナの交換に特殊な工具を必要とせず、しかも筐体の外表面に取り外しのための孔を開口させる必要がない。
【００１５】
そして、請求項３記載のアンテナ取付構造にあっては、アンテナエレメントの収納状態では、収容部の開口が膨大部により塞がれているので、筐体の外から、弾性係合片または弾性係合突片を見ることができず、外観に優れている。
【発明を実施するための最良の形態】
【００１６】
以下、本発明の第１実施例を図１ないし図５を参照して説明する。図１は、本発明のアンテナ取付構造の第１実施例を携帯電話機に適用したアンテナエレメントが収容状態の要部縦断面図である。図２は、図１でアンテナエレメントを引き出した状態の要部縦断面図である。図３は、図１の状態の筐体の要部の外観斜視図である。図４は、図２の状態の筐体の要部の外観斜視図である。図５は、アンテナエレメントを引き出して棒状部材で弾性係合片を弾性変形させて係合を解除させる状態の要部縦断面図である。
【００１７】
携帯電話機等の筐体２０内には、内蔵アンテナなどを設けるためのキャリア２２および回路基板２４などが適宜に配設される。そして、筐体２０およびキャリア２２からなる筐体２０側に対して、ホルダー部材２６を挿入できる収容部２８が設けられる。収容部２８の開口２８ａは、筐体２０の外表面に設けられる。さらに、収容部２８には、ホルダー部材２６が所定位置まで挿入されるとさらなる挿入を規制する狭搾部２８ｂが設けられる。また、収容部２８内にホルダー部材２６が挿入される際に、弾性変形して挿入を許容するとともに収容部２８内の所定位置までホルダー部材２６が挿入されると弾性復帰してホルダー部材２６に係合して抜けを規制する弾性係合片３０が、キャリア２２に一体成形されて突設される。しかも、この弾性係合片３０は、アンテナエレメント３２が引き出された状態で、外部から開口２８ａを覗くと見える位置にある。そして、ホルダー部材２６には、棒状のアンテナエレメント３２が貫通して所定範囲で移動自在に配設され、その引き出し先端部に開口２８ａ内に挿入されてこれを塞ぐような膨大部３４が設けられる。この膨大部３４は、トップローディング等の回路部品やコイルアンテナなどが配設され、または単にボタン状に形成されたものであっても良い。
【００１８】
かかる構成からなる第１実施例では、アンテナエレメント３２の収納状態では、図３に示すごとく、開口２８ａが膨大部３４で塞がれ、外観上で何ら不都合はない。そして、アンテナを交換する際には、まずアンテナエレメント３２を引き出す。すると、図４に示すごとく、開口２８ａから弾性係合片３０が見える。そこで、図５に示すごとく、開口２８ａから棒状部材３６を収容部２８側に挿入し、弾性係合片３０を弾性変形させてホルダー部材２６との係合を解除させる。そして、弾性係合片３０を弾性変形させたままでアンテナエレメント３２を引き出し方向に強く引っ張れば、収容部２８からホルダー部材２６が引き抜かれる。もって、特殊な工具を必要とせずに、簡単にアンテナの交換が可能である。しかも、本発明のアンテナ取付構造におけるアンテナを取り外す手順を知らない者には、取り外しが不可能である。また、筐体２０の外表面に孔を穿設することもなく、外観に優れている。なお、棒状部材３６は、細い棒状の物であれば良く、ボールペンやシャープペンなどの文房具を用いることができるようにしても良い。
【００１９】
次に、本発明の第２実施例を図６ないし図８を参照して説明する。図６は、本発明のアンテナ取付構造の第２実施例を携帯電話機に適用したアンテナエレメントが収容状態の要部縦断面図である。図７は、図６でアンテナエレメントを引き出した状態の要部縦断面図である。図８は、アンテナエレメントを引き出して棒状部材で弾性係合片を弾性変形させて係合を解除させる状態の要部縦断面図である。図６ないし図８において、図１ないし図５と同じまたは均等な部材には同じ符号を付けて重複する説明を省略する。
【００２０】
第２実施例において、第１実施例と相違するところは、弾性係合片３８が筐体２０に一体成形により突設されたことにある。他の構造は、第１実施例と同様である。
【００２１】
第１実施例および第２実施例に示すごとく、弾性係合片３０、３８は、筐体２０およびキャリア２２のいずれに設けれても良く、弾性係合片３０、３８および収容部２８が、筐体２０側に設けられていればいかなる部材により構成されていても良い。
【００２２】
さらに、本発明の第３実施例を図９ないし図１２を参照して説明する。図９は、本発明のアンテナ取付構造の第３実施例を携帯電話機に適用したアンテナエレメントが収容状態の要部縦断面図である。図１０は、図９のＡ−Ａ矢視図である。図１１は、アンテナエレメントを引き出して棒状部材で弾性係合突片を弾性変形させて係合を解除させる状態の要部縦断面図である。図１２は、ホルダー部材の外観斜視図である。図９ないし図１２において、図１ないし図８と同じまたは均等な部材には同じ符号を付けて重複する説明を省略する。
【００２３】
第３実施例において、第１実施例と相違するところは、ホルダー部材４０に弾性係合突片４２が設けられ、キャリア２２に係止用部材４４が設けられたことにある。弾性係合突片４２は、挿入方向の先端側でホルダー部材４０に連結され、挿入方向と反対側が遊端とされ、挿入方向の先端側がホルダー部材４０の外周面の位置から斜面により最高突部４２ａに連なり、この最高突部４２ａの挿入方向と反対側に段差部４２ｂが設けられる。しかも、最高突部４２ａには、段差部４２ｂから挿入方向に徐々に浅くなる溝４２ｃが設けられている。また、収容部２８にはホルダー部材４０が所定位置まで挿入されると、弾性係合突片４２の段差部４２ｂが係合して抜け方向への移動を規制する係止用部材４４が設けられる。この係止用部材４４は、キャリア２２に一体成形されている。また、係止用部材４４には、弾性係合突片４２の溝４２ｃに臨んで、切り欠き４４ａが設けられる。さらに、収容部２８の内周面にも、切り欠き４４ａに連なる凹部２８ｃが設けられ、後述する棒状部材３６の挿入を許容するように形成される。
【００２４】
かかる構成からなる第３実施例では、開口２８ａより収容部２８にホルダー部材４０を挿入する際には、係止用部材４４に弾性係合突片４２が当接し、弾性係合突片４２は斜面による楔効果により最高突部４２ａの突出量が少なくなるように弾性変形して挿入が許容される。そして、収容部２８内の所定位置までホルダー部材４０が挿入されると、係止用部材４４を弾性係合突片４２の段差部４２ｂが越えて当接しない状態となり、弾性係合突片４２は弾性復帰し、段差部４２ｂが係止用部材４４に係合して抜け方向への移動が規制される。もって、筐体２０側にホルダー部材４０が固定される。また、ホルダー部材４０を取り外す際には、アンテナエレメント３２を引き出した状態で、開口２８ａの奥にある係止用部材４４の切り欠き４４ａから棒状部材３６を挿入しさらに溝４２ｃに沿って収容部２８の凹部２８ｃまで挿入して、棒状部材３２の先端部を最高突部４２ａに臨ませる。さらに、棒状部材３６により弾性係合突片４２を最高突部４２ａの突出量が少なくなるように弾性変形させて、段差部４２ｂと係止用部材４４の係合を解除し、ホルダー部材４０と棒状部材３６を共に引き抜き、またはホルダー部材４０を単独で引き抜く。したがって、特殊な工具を必要とせずに簡単にアンテナの交換がなし得る。
【００２５】
なお、上記第３実施例では、図１０に示すごとく開口２８ａから見て係止用部材４４の幅が弾性係合突片４２の幅より大きいために、係止用部材４４に切り欠き４４ａを設けて棒状部材３６の先端部を弾性係合突片４２の最高突部４２ａに臨ますことができるようにしているが、係止用部材４４の幅が弾性係合突片４２の幅よりも狭くて弾性係合突片４２が開口２８ａから見える状態にあれば、切り欠き４４ａを必ずしも設ける必要はなく、係止用部材４４の横を棒状部材３６が通過するようにして挿入されて弾性係合突片４２を弾性変形させ得るようにしても良い。また、第３実施例では、係止用部材４４がキャリア２２に一体成形されているが、筐体２０に一体成形されていても良い。さらに、第３実施例では、弾性係合突片４２は、挿入方向の先端側でホルダー部材４０に連結されているが、これに限られず、挿入方向と反対側でホルダー部材４０に連結されていて挿入方向の先端部が遊端となるようにしても良い。弾性係合突片４２は、軸方向と略直交する方向に最高突部４２ａの突出量が変化するように弾性変形させ得る構造であればいかなる構造であっても良い。
【００２６】
さらに、上記第１ないし第３実施例で、棒状のアンテナエレメント３２は、その外形が棒状であれば良く、１本のダイポールアンテナに限られず、竹の子状の多段のダイポールアンテナであっても良く、さらに巻径の小さいヘリカルアンテナであっても良い。
【図面の簡単な説明】
【００２７】
【図１】本発明のアンテナ取付構造の第１実施例を携帯電話機に適用したアンテナエレメントが収容状態の要部縦断面図である。
【図２】図１でアンテナエレメントを引き出した状態の要部縦断面図である。
【図３】図１の状態の筐体の要部の外観斜視図である。
【図４】図２の状態の筐体の要部の外観斜視図である。
【図５】アンテナエレメントを引き出して棒状部材で弾性係合片を弾性変形させて係合を解除させる状態の要部縦断面図である。
【図６】本発明のアンテナ取付構造の第２実施例を携帯電話機に適用したアンテナエレメントが収容状態の要部縦断面図である。
【図７】図６でアンテナエレメントを引き出した状態の要部縦断面図である。
【図８】アンテナエレメントを引き出して棒状部材で弾性係合片を弾性変形させて係合を解除させる状態の要部縦断面図である。
【図９】本発明のアンテナ取付構造の第３実施例を携帯電話機に適用したアンテナエレメントが収容状態の要部縦断面図である。
【図１０】図９のＡ−Ａ矢視図である。
【図１１】アンテナエレメントを引き出して棒状部材で弾性係合突片を弾性変形させて係合を解除させる状態の要部縦断面図である。
【図１２】ホルダー部材の外観斜視図である。
【図１３】従来のアンテナ取付構造でホルダー部材を開かれた筐体側の収容部に挿入した状態の斜視図である。
【図１４】ホルダー部材が挿入された状態でキャリアを配設してホルダー部材の抜けを規制した状態の斜視図である。
【符号の説明】
【００２８】
１０、２０  筐体
１２、２８  収容部
１４、３２  アンテナエレメント
１６、２６、４０  ホルダー部材
１８、２２  キャリア
２８ａ  開口
２８ｃ  凹部
３０、３８  弾性係合片
３４  膨大部
４２  弾性係合突片
４２ａ  最高突部
４２ｂ  段差部
４２ｃ  溝
４４  係止用部材
４４ａ  切り欠き
【図１】
2006140628.tif 000003
【図２】
2006140628.tif 000004
【図３】
2006140628.tif 000005
【図４】
2006140628.tif 000006
【図５】
2006140628.tif 000007
【図６】
2006140628.tif 000008
【図７】
2006140628.tif 000009
【図８】
2006140628.tif 000010
【図９】
2006140628.tif 000011
【図１０】
2006140628.tif 000012
【図１１】
2006140628.tif 000013
【図１２】
2006140628.tif 000014
【図１３】
2006140628.tif 000015
【図１４】
2006140628.tif 000016